(57)【要約】【課題】携帯機の動作履歴をダイアグ機能として利用することが可能な電子キーシステムを提供すること。【解決手段】携帯機は、電源投入時或いは電池電圧が閾値を下回った時、ＣＰＵがリセットされる。そして、ＣＰＵがリセットされる度にイニシャル処理が行われる。イニシャル処理には、ポート処理の他、ＥＥＰＲＯＭに対するデータの読み出しと書き込みの処理が含まれる。イニシャル処理の中でイニシャルカウンタ値がインクリメントされ、そのイニシャルカウンタ値がＥＥＰＲＯＭに書き込まれる。これにより、ＣＰＵのリセット回数がカウントされつつ動作履歴として保持される。携帯機は、ＣＰＵのリセット回数を車両に送信し、車両は、ＣＰＵのリセット回数を報知する。【選択図】図２
2015034442.tif 000002
【特許請求の範囲】
【請求項１】
動作履歴の管理機能を備えた携帯機において、
当該携帯機の動作に関する制御を司る制御手段と、
前記制御手段のリセット回数をカウントしつつ動作履歴として保持する履歴管理手段とを備えた
ことを特徴とする携帯機。
【請求項２】
前記履歴管理手段は、前記制御手段がリセットされる度にイニシャル処理を行い、そのイニシャル処理の中でイニシャルカウンタ値をインクリメントしつつ前記制御手段のリセット回数をカウントする
請求項１に記載の携帯機。
【請求項３】
前記履歴管理手段は、前記イニシャルカウンタ値を記憶手段に書き込むことで、前記制御手段のリセット回数を保持する
請求項２に記載の携帯機。
【請求項４】
前記履歴管理手段は、前記記憶手段から前記イニシャルカウンタ値を読み出して前記制御手段のリセット回数を示唆する情報を含む電気信号を生成する
請求項３に記載の携帯機。
【請求項５】
請求項１〜４のいずれか一項に記載の携帯機において、
前記制御手段のリセット回数が基準値に達したことを知らせる報知手段を備えた
ことを特徴とする携帯機。
【発明の詳細な説明】
【技術分野】
【０００１】
本発明は、動作履歴の管理機能を備えた携帯機に関する。
【背景技術】
【０００２】
携帯機は、ＣＰＵ（Central Processing Unit ）が様々なプログラムを実行することで各種動作を行う。一例として、携帯機は、車両に搭載された通信装置との間で通信動作を行う（特許文献１を参照）。
【先行技術文献】
【特許文献】
【０００３】
【特許文献１】特開２００２−２９３８５号公報
【発明の概要】
【発明が解決しようとする課題】
【０００４】
市場での携帯機の使われ方や、市場から回収された不具合品の発生要因を知りたい要望がある。
本発明は、このような問題点に着目してなされたものであって、その目的は、動作履歴をダイアグ機能として利用することが可能な携帯機を提供することにある。
【課題を解決するための手段】
【０００５】
上記課題を解決する携帯機は、動作履歴の管理機能を備えた携帯機において、当該携帯機の動作に関する制御を司る制御手段と、前記制御手段のリセット回数をカウントしつつ動作履歴として保持する履歴管理手段とを備えたことをその要旨としている。
【０００６】
この構成によれば、制御手段のリセット回数を動作履歴として残すことで、電池交換の頻度或いは異常リセットの頻度を把握することができる。これにより、携帯機の使われ方を推定できる他、不具合原因の絞り込みに役立てることができる。したがって、動作履歴をダイアグ機能として利用することができる。
【０００７】
上記携帯機について、前記履歴管理手段は、前記制御手段がリセットされる度にイニシャル処理を行い、そのイニシャル処理の中でイニシャルカウンタ値をインクリメントしつつ前記制御手段のリセット回数をカウントすることとしてもよい。
【０００８】
この構成によれば、イニシャルカウンタ値を用いて制御手段のリセット回数を適切に管理することができる。
上記携帯機について、前記履歴管理手段は、前記イニシャルカウンタ値を記憶手段に書き込むことで、前記制御手段のリセット回数を保持することとしてもよい。
【０００９】
この構成によれば、記憶手段への書き込みに伴い、制御手段のリセット回数を安定して保持できる。
上記携帯機について、前記履歴管理手段は、前記記憶手段から前記イニシャルカウンタ値を読み出して前記制御手段のリセット回数を示唆する情報を含む電気信号を生成することとしてもよい。
【００１０】
この構成によれば、記憶手段に書き込んだデータを読み出して活用することができる。
上記携帯機について、前記制御手段のリセット回数が基準値に達したことを知らせる報知手段を備えたこととしてもよい。
【００１１】
この構成によれば、制御手段のリセット回数が基準値に達すると、その旨の報知が行われる。これにより、電池交換や修理等の処置を促すことができる。
【発明の効果】
【００１２】
本発明によれば、動作履歴をダイアグ機能として利用することができる。
【図面の簡単な説明】
【００１３】
【図１】電子キーシステムの構成を示すブロック図。
【図２】ＣＰＵリセット時の携帯機の動作を示す図。
【図３】スマート通信時の例による車両と携帯機のタイミングチャート。
【発明を実施するための形態】
【００１４】
以下、携帯機の一実施の形態について説明する。
図１に示すように、携帯機２は、電子キーシステム１の構成要素であって、車両に搭載されたセキュリティ装置３との間で無線通信が可能である。無線通信ではＬＦ信号とＵＨＦ信号が用いられる。ＬＦ信号はＬＦ帯の電波として規定され、ＵＨＦ信号はＵＨＦ帯の電波として規定される。携帯機２は電子キーとして規定され、電気的なキー認証を経て車両動作が許容される。携帯機２は車両キーとして所持される。
【００１５】
携帯機２は、ＬＦ受信部２１、制御部２２、ＵＨＦ送信部２３を備えている。ＬＦ受信部２１は、セキュリティ装置３から送信されたＬＦ信号を受信可能である。ＬＦ信号としてウェイク信号やチャレンジ信号が送信される。制御部２２は、ＣＰＵ２２ａ、ＲＯＭ（Read-Only Memory）、ＲＡＭ（Random-Access Memory）の他、ＥＥＰＲＯＭ（Electrically Erasable and Programmable Read-Only Memory ）２２ｂを備えている。ＥＥＰＲＯＭ２２ｂには、携帯機２に固有のＩＤが記憶されている。ＣＰＵ２２ａは、ＬＦ受信部２１でＬＦ信号が受信されると、その信号がウェイク信号であるか否かの判定を行う。ＣＰＵ２２ａは、肯定判断すると、ウェイク信号に応答するために、ＵＨＦ送信部２３からアック信号を送信する。また、ＣＰＵ２２ａは、ＬＦ受信部２１でチャレンジ信号が受信されると、上記ＩＤを含むレスポンス信号をＵＨＦ送信部２３から送信する。
【００１６】
セキュリティ装置３は、ＬＦ発信機３１、ＵＨＦ受信機３２、照合ＥＣＵ（Electronic Control Unit ）３３を備えている。ＬＦ発信機３１は、照合ＥＣＵ３３による制御を受けて、車両周辺にＬＦ信号を発信する。ＵＨＦ受信機３２は、携帯機２から送信されたＵＨＦ信号を受信可能である。ＵＨＦ信号としてアック信号やレスポンス信号が受信される。照合ＥＣＵ３３は不揮発性のメモリ３３ａを備えている。メモリ３３ａには、自車に適合する携帯機２のＩＤが基準ＩＤとして登録されている。照合ＥＣＵ３３は、携帯機２の接近を監視するために、ＬＦ発信機３１からウェイク信号を発信する。照合ＥＣＵ３３は、ＵＨＦ受信機３２でアック信号が受信されると、ＬＦ発信機３１からチャレンジ信号を送信する。照合ＥＣＵ３３は、ＵＨＦ受信機３２でレスポンス信号が受信されると、その信号に含まれたＩＤについて、上記基準ＩＤとの照合を行う。照合ＥＣＵ３３は、ＩＤが照合一致したことを条件に、車両動作を許容する。
【００１７】
ところで、携帯機２は、電源として電池を備え、この電池から電力を賄いつつ、セキュリティ装置３との通信動作を含む各種動作を行う。例えば、一次電池であるボタン電池が採用され、電池電圧が低下すると交換される。これにより、再び各種動作が可能となる。一方、二次電池が採用される場合には、電池電圧が低下すると充電により電池電圧が確保され、やがて経年変化等により消耗すると交換される。
【００１８】
図２に示すように、携帯機２は、電源投入時或いは電池電圧が閾値を下回った時、ＣＰＵ２２ａがリセットされる。そして、ＣＰＵ２２ａがリセットされる度にイニシャル処理が行われる。イニシャル処理には、ポート処理の他、ＥＥＰＲＯＭ２２ｂに対するデータの読み出しと書き込みの処理が含まれる。イニシャル処理の中でイニシャルカウンタ値がインクリメントされ、そのイニシャルカウンタ値がＥＥＰＲＯＭ２２ｂに書き込まれる。これにより、ＣＰＵ２２ａのリセット回数がカウントされつつ動作履歴として保持される。このように携帯機２は動作履歴の管理機能を備える。ＣＰＵ２２ａは「制御手段」及び「履歴管理手段」に相当する。ＥＥＰＲＯＭ２２ｂは「記憶手段」に相当する。尚、上記閾値はイニシャル処理を適切に行える動作可能電圧よりも高い電圧として規定される。これにより、電池電圧（監視電圧）が当該閾値を下回った場合でも、ＣＰＵ２２ａによりイニシャル処理が適切に行われる。
【００１９】
次に、携帯機２の作用について説明する。
図３に示すように、スマート通信時の例では、まず車両からウェイク信号が発信される。このウェイク信号が携帯機２で受信されると、携帯機２からアック信号が送信される。このアック信号が車両で受信されると、車両からチャレンジ信号が送信される。このチャレンジ信号が携帯機２で受信されると、イニシャルカウンタビットの付加されたレスポンス信号が携帯機２から送信される。イニシャルカウンタビットには、ＣＰＵ２２ａのリセット回数を示唆する情報が含まれる。ＥＥＰＲＯＭ２２ｂからイニシャルカウンタ値が読み出され、上記情報を含むレスポンス信号が生成される。
【００２０】
レスポンス信号が車両で解析され、ＣＰＵ２２ａのリセット回数が基準値に達した場合には、車両のメータに警告が表示される。例えば、電池交換を促す表示或いはキーをディーラに持っていくことを促す表示がされる。
【００２１】
以上説明したように、本実施の形態によれば、以下の効果を奏することができる。
（１）ＣＰＵ２２ａのリセット回数を動作履歴として残すことで、電池交換の頻度或いは異常リセットの頻度を把握することができる。これにより、携帯機２の使われ方を推定できる他、不具合原因の絞り込みに役立てることができる。したがって、動作履歴をダイアグ機能として利用することができる。
【００２２】
（２）イニシャルカウンタ値を用いてＣＰＵ２２ａのリセット回数を適切に管理することができる。
（３）ＥＥＰＲＯＭ２２ｂへの書き込みに伴い、ＣＰＵ２２ａのリセット回数を安定して保持できる。
【００２３】
（４）ＥＥＰＲＯＭ２２ｂに書き込んだデータを読み出して活用することができる。
（５）ＣＰＵ２２ａのリセット回数が基準値に達すると、その旨の報知が行われる。これにより、電池交換や修理等の処置を促すことができる。
【００２４】
（６）不具合発生時に市場での電池交換頻度や異常リセットの頻度を把握することにより不具合原因の絞り込みをすることができる。
（７）ユーザがいち早く携帯機２の異常に気付くことができる。
【００２５】
（８）電池交換の回数を把握していることを前提に、異常リセットを含むそれ以外のリセット回数が特定できるので、不具合原因の絞り込みに寄与できる。
（９）電池交換の頻度が高い場合に、その原因を取り除くことで携帯機２の使用環境を整えることができる。例えば、ウェイク信号に似たノイズが携帯機２で受信されると、アック信号の送信に至らなくともウェイク判定により電池電力が消費され、電池交換の頻度に影響を与える。つまり、電池交換の頻度が高い場合には、ノイズの影響が考えられる。したがって、ノイズの発生源を特定しつつ、携帯機２の保管場所を変更することによって、電池交換の頻度を下げることができる。
【００２６】
（１０）ノイズの影響を受けて電池電圧が閾値を下回ると、ＣＰＵ２２ａがリセットされる。電池交換をしていないにもかかわらず、ＣＰＵ２２ａのリセット回数が基準値に達した場合には、静電気等のノイズによる異常リセットが疑われる。したがって、ノイズの発生源を特定しつつ、携帯機２の保管場所を変更することによって、携帯機２の使用環境を整えることができる。
【００２７】
尚、上記実施の形態は、次のように変更して具体化することも可能である。
・ＣＰＵ２２ａのリセット回数が基準値に達したことを知らせるにあたり、上記実施の形態によるメータでの表示動作にブザー或いは音声メッセージでの報知動作を伴ってもよいし、音での報知動作が単独で行われてもよい。
【００２８】
・ＣＰＵ２２ａのリセット回数が基準値に達したか否かにかかわらず、ＣＰＵ２２ａのリセット回数が車両のメータ等で報知されてもよい。
・ＣＰＵ２２ａのリセット回数を携帯機２で監視しつつ、それが基準値に達したこと或いはＣＰＵ２２ａのリセット回数を携帯機２で報知してもよい。この場合、携帯機２は表示或いは音或いは振動（バイブレーション機能）による報知動作を行う報知手段を備える。この構成によれば、車両との通信によらず、携帯機２が単独で動作履歴を管理することができる。ＬＣＤ（Liquid Crystal Display）等の画面による表示の他、インジケータによる表示であってもよい。インジケータによる表示について、ＣＰＵ２２ａのリセット回数に応じた色でインジケータを点灯或いは点滅させてもよい。単色のインジケータを用いて、ＣＰＵ２２ａのリセット回数に応じた点滅速度でインジケータを点滅させてもよい。７セグメントＬＥＤ（Light Emitting Diode）を用いてＣＰＵ２２ａのリセット回数を表現してもよい。
【００２９】
・ＣＰＵ２２ａのリセット回数が基準値に達した場合に限り、そのことを示唆する情報を含むレスポンス信号を携帯機２から送信し、これを受けて車両のメータ等で報知動作が行われてもよい。
【００３０】
・ＣＰＵ２２ａのリセット回数が報知動作が必要な回数に達したか否かを判定する上での閾値となる基準値は任意に設定可能である。基準値をより小さくすれば報知動作がより早い段階で行われるため、携帯機２が動作不能となる前に適切な処置が施され易い。一方、基準値をより大きくすれば携帯機２が動作不能となる直前まで使用され易い。
【００３１】
・イニシャルカウンタ値をゼロに戻す構成を備えてもよい。
・電子キーシステムは車両への適用に限定されない。建物に適用され、ドアの施解錠或いは照明の点灯・消灯を許容するシステムであってもよい。
【符号の説明】
【００３２】
１…電子キーシステム、２…携帯機、３…セキュリティ装置、２１…ＬＦ受信部、２２…制御部、２２ａ…ＣＰＵ（制御手段、履歴管理手段）、２２ｂ…ＥＥＰＲＯＭ（記憶手段）、２３…ＵＨＦ送信部、３１…ＬＦ発信機、３２…ＵＨＦ受信機、３３…照合ＥＣＵ、３３ａ…メモリ。
【図１】
2015034442.tif 000003
【図２】
2015034442.tif 000004
【図３】
2015034442.tif 000005
【手続補正書】
【提出日】平成26年10月27日(2014.10.27)
【手続補正１】
【補正対象書類名】特許請求の範囲
【補正対象項目名】全文
【補正方法】変更
【補正の内容】
【特許請求の範囲】
【請求項１】
動作履歴の管理機能を備えた携帯機が電子キーとして規定され、電気的なキー認証を経て車両又は建物の動作が許容される電子キーシステムにおいて、
前記携帯機は、
当該携帯機の動作に関する制御を司る制御手段と、
前記制御手段のリセット回数をカウントしつつ動作履歴として保持する履歴管理手段とを備え、
前記携帯機は、前記制御手段のリセット回数を前記車両又は前記建物に送信し、前記車両又は前記建物は、前記制御手段のリセット回数を報知する
ことを特徴とする電子キーシステム。
【請求項２】
前記車両又は前記建物は、前記携帯機から受信した前記制御手段のリセット回数が基準値に達した場合に、当該車両又は当該建物にて警告する
請求項１に記載の電子キーシステム。
【請求項３】
前記携帯機は、前記制御手段のリセット回数が基準値に達した場合に、当該リセット回数を前記車両又は前記建物に送信する
請求項１又は２に記載の電子キーシステム。
【請求項４】
前記履歴管理手段は、前記制御手段がリセットされる度にイニシャル処理を行い、そのイニシャル処理の中でイニシャルカウンタ値をインクリメントしつつ前記制御手段のリセット回数をカウントする
請求項１〜３のいずれか一項に記載の電子キーシステム。
【請求項５】
請求項１〜４のいずれか一項に記載の電子キーシステムにおいて、
前記携帯機は、前記制御手段のリセット回数が基準値に達したことを知らせる報知手段を備えた
ことを特徴とする電子キーシステム。
【手続補正３】
【補正対象書類名】明細書
【補正対象項目名】０００１
【補正方法】変更
【補正の内容】
【０００１】
本発明は、動作履歴の管理機能を備えた携帯機が電子キーとして規定され、電気的なキー認証を経て車両又は建物の動作が許容される電子キーシステムに関する。
【手続補正４】
【補正対象書類名】明細書
【補正対象項目名】０００４
【補正方法】変更
【補正の内容】
【０００４】
市場での携帯機の使われ方や、市場から回収された不具合品の発生要因を知りたい要望がある。
本発明は、このような問題点に着目してなされたものであって、その目的は、携帯機の動作履歴をダイアグ機能として利用することが可能な電子キーシステムを提供することにある。
【手続補正５】
【補正対象書類名】明細書
【補正対象項目名】０００５
【補正方法】変更
【補正の内容】
【０００５】
上記課題を解決する電子キーシステムは、動作履歴の管理機能を備えた携帯機が電子キーとして規定され、電気的なキー認証を経て車両又は建物の動作が許容される電子キーシステムにおいて、前記携帯機は、当該携帯機の動作に関する制御を司る制御手段と、前記制御手段のリセット回数をカウントしつつ動作履歴として保持する履歴管理手段とを備え、前記携帯機は、前記制御手段のリセット回数を前記車両又は前記建物に送信し、前記車両又は前記建物は、前記制御手段のリセット回数を報知することをその要旨としている。
【手続補正６】
【補正対象書類名】明細書
【補正対象項目名】０００６
【補正方法】変更
【補正の内容】
【０００６】
この構成によれば、携帯機の制御手段のリセット回数を動作履歴として残すことで、電池交換の頻度或いは異常リセットの頻度を把握することができる。これにより、携帯機の使われ方を推定できる他、不具合原因の絞り込みに役立てることができる。したがって、携帯機の動作履歴をダイアグ機能として利用することができる。
上記電子キーシステムについて、前記車両又は前記建物は、前記携帯機から受信した前記制御手段のリセット回数が基準値に達した場合に、当該車両又は当該建物にて警告することとしてもよい。
この構成によれば、携帯機の制御手段のリセット回数が基準値に達した場合には、車両又は建物にて警告がされる。例えば、携帯機の電池交換を促す警告或いは携帯機をディーラに持っていくことを促す警告がされる。これにより、電池交換や修理等の処置を促すことができる。
上記電子キーシステムについて、前記携帯機は、前記制御手段のリセット回数が基準値に達した場合に、当該リセット回数を前記車両又は前記建物に送信することとしてもよい。
この構成によれば、携帯機の制御手段のリセット回数が基準値に達した場合に、当該リセット回数が車両又は建物に送信され、これを受けて車両又は建物で報知動作が行われる。
【手続補正７】
【補正対象書類名】明細書
【補正対象項目名】０００７
【補正方法】変更
【補正の内容】
【０００７】
上記電子キーシステムについて、前記履歴管理手段は、前記制御手段がリセットされる度にイニシャル処理を行い、そのイニシャル処理の中でイニシャルカウンタ値をインクリメントしつつ前記制御手段のリセット回数をカウントすることとしてもよい。
【手続補正８】
【補正対象書類名】明細書
【補正対象項目名】０００８
【補正方法】変更
【補正の内容】
【０００８】
この構成によれば、イニシャルカウンタ値を用いて携帯機の制御手段のリセット回数を適切に管理することができる。
【手続補正９】
【補正対象書類名】明細書
【補正対象項目名】０００９
【補正方法】削除
【補正の内容】
【手続補正１０】
【補正対象書類名】明細書
【補正対象項目名】００１０
【補正方法】変更
【補正の内容】
【００１０】
上記電子キーシステムについて、前記携帯機は、前記制御手段のリセット回数が基準値に達したことを知らせる報知手段を備えたこととしてもよい。
【手続補正１１】
【補正対象書類名】明細書
【補正対象項目名】００１１
【補正方法】変更
【補正の内容】
【００１１】
この構成によれば、携帯機の制御手段のリセット回数が基準値に達すると、その旨の報知が携帯機の報知手段にて行われる。これにより、電池交換や修理等の処置を促すことができる。
【手続補正１２】
【補正対象書類名】明細書
【補正対象項目名】００１２
【補正方法】変更
【補正の内容】
【００１２】
本発明によれば、携帯機の動作履歴をダイアグ機能として利用することができる。
【手続補正１３】
【補正対象書類名】明細書
【補正対象項目名】００１４
【補正方法】変更
【補正の内容】
【００１４】
以下、電子キーシステムの一実施の形態について説明する。
図１に示すように、携帯機２は、電子キーシステム１の構成要素であって、車両に搭載されたセキュリティ装置３との間で無線通信が可能である。無線通信ではＬＦ信号とＵＨＦ信号が用いられる。ＬＦ信号はＬＦ帯の電波として規定され、ＵＨＦ信号はＵＨＦ帯の電波として規定される。携帯機２は電子キーとして規定され、電気的なキー認証を経て車両動作が許容される。携帯機２は車両キーとして所持される。
【手続補正１４】
【補正対象書類名】明細書
【補正対象項目名】００１９
【補正方法】変更
【補正の内容】
【００１９】
次に、電子キーシステム１の作用について説明する。
図３に示すように、スマート通信時の例では、まず車両からウェイク信号が発信される。このウェイク信号が携帯機２で受信されると、携帯機２からアック信号が送信される。このアック信号が車両で受信されると、車両からチャレンジ信号が送信される。このチャレンジ信号が携帯機２で受信されると、イニシャルカウンタビットの付加されたレスポンス信号が携帯機２から送信される。イニシャルカウンタビットには、ＣＰＵ２２ａのリセット回数を示唆する情報が含まれる。ＥＥＰＲＯＭ２２ｂからイニシャルカウンタ値が読み出され、上記情報を含むレスポンス信号が生成される。